(57)【要約】      （修正有）【課題】ネットワークにおいて、放送再開、他のメディア放送装置への移転、ネットワーク装置の設定状態の保存などを容易に行うことのできるハンド・オーバー装置および方法を提供する。【解決手段】データを供給するデータ供給装置と、複数のハンド・オーバー装置を含むメディアハンド・オーバー装置であって、該ハンド・オーバー装置がネットワークを介して該データ供給装置に接続し、該データ供給装置の提供するデータを受信し、かつ複数の該ハンド・オーバー装置の内の一つがハンド・オーバーコマンドにしたがい、該ネットワークを介して該データを他のハンド・オーバー装置にハンド・オーバーする。【選択図】図３
2007195170.tif 000002
【特許請求の範囲】
【請求項１】
データを供給するデータ供給装置と、複数のハンド・オーバー装置を含み、
該ハンド・オーバー装置がネットワークを介して該データ供給装置に接続し、該データ供給装置の提供するデータを受信し、かつ複数の該ハンド・オーバー装置の内の一つがハンド・オーバーコマンドにしたがい、該ネットワークを介して該データを他のハンド・オーバー装置にハンド・オーバーすることを特徴とするネットワークにおけるメディアハンド・オーバー装置。
【請求項２】
前記データ供給装置が該ハンド・オーバー装置を少なくとも１以上含み、かつストリームサーバーか、ラジオ放送局を含むことを特徴とする請求項１に記載のネットワークにおけるメディアハンド・オーバー装置。
【請求項３】
前記オーバーハンド装置が、プロセッサと、
該プロセッサに接続して該データを受信する受信機と、
該プロセッサに接続して該データを送信する送信機と、
該プロセッサに接続するメモリと、
該プロセッサに接続するローカルエリアネットワークモジュールと、
該プロセッサに接続する無線ローカルエリアネットワークモジュールと、
該プロセッサに接続してオーバーハンドを実行するオーバー・ハンドモジュールと、を含むことを特徴とする請求項１に記載のネットワークにおけるメディアハンド・オーバー装置。
【請求項４】
サーチプロトコルにしたがい、インターネットを介してハンド・オーバー装置をサーチし、
該ハンド・オーバー装置を選択して、ハンド・オーバーコマンドの情報の受信と識別を含むハンド・オーバーの過程を実行し、
該ハンド・オーバー操作のモードを質問し、
該ハンド・オーバーの動作を実行するステップを含むことを特徴とするネットワークにおけるメディアハンド・オーバー方法。
【請求項５】
前記ハンド・オーバーの過程を実行が、該オーバー・ハンド装置からデータ供給装置の情報をキャプチャし、
該データ供給装置からストリームを得るように要求し、
該オーバーハンド装置の伝送を中止することによって、中止のの過程を実行して通信の動作を中止するステップを含むことを特徴とする請求項４に記載のネットワークにおけるメディアハンド・オーバー方法。
【発明の詳細な説明】
【背景技術】
【０００１】
この発明はネットワークの制御装置に関し、特にユーザーがネットワーク設備の間でメディア放送の設定の状態を保存し、放送を再開し、かつ他のユーザーに移転できるようにするための装置と、その方法に関する。
【０００２】
近年になり、ディジタルネットワークの広い普及によって、従来の金属導線、または光ケーブルを利用したケーブルネットワーク以外に、例えば、モバイル放送などのネットワーク伝送を利用した無線信号の伝送メディアが開発されている。モバイル放送に関する既存の技術には、
Ｏｈｍ著作の“Ｍｏｂｉｋｅ  Ｃｏｍｍｕｎｉｃａｔｉｏｎ  Ｓｙｓｔｅｍ”に記載される同期転送モード（Synchronous Transfer  Mode）ネットワーク、Ｄｅｎｋｉ  Ｔｕｓｈｉｎ  Ｋｙｏｋａｉ著作の“Ｅａｓｙ  Ｄｉｇｉｔａｌ  Ｅｘｃｈａｎｇｅ”に記載されるパーソナル・ディジタルのハニカム式通信、ＰＨＳ（Personal Handyphone
System）、符号分割多重接続（Code Division Multiple Access）などが掲げる。
【０００３】
その内、タイムスロット（ｔｉｍｅ  ｓｌｏｔｓ）にキャリアされた信号の伝送方式は、時間分割（ｔｉｍｅ  ｄｉｖｉｓｉｏｎ）ネットワークにおける同期信号フレーム（ｓｙｎｃｈｒｉｎｕｉｚｅｄ  ｆｒａｍｅ）内の時間分割（ｔｉｍｅ  ｓｈａｒｅｄ）タイムスロットの伝送信号に類似する。
【０００４】
上述する信号処理の過程は、メディアとネットワークとの関係によって変化する場合がある。例えば、一部の行動の目標が有する特有の信号処理過程は、エラー校正の過程を必要とする。但し、既存のネットワークに接続するという観点からいえば、エラー校正の過程は必要としない。
【０００５】
無線ネットワークの応用範囲が拡張するにしたがって、ビデオデータストリーム、データストリームと、ブロードバンドディジタル番組の放送もますます普及してきた。
【０００６】
無線データパケット自体は、同時に複数の受信端（例えばネットワークにアクセスできるモバイルタイプの装置）に送信することができる。これを多重放送、またはデータ放送と称する。
【０００７】
近年、無線ローカルローカルエリアネットワーク、ディジタルビデオ放送（Digital Video Broadcasting）システム、ディジタルオーディオ放送（Digital Audio Broadcasting）、システムなども多重放送データの転換に用いることができるようになった。将来は、次世代の移動体通信方式の一つであるＵＴＭ（Universal Mobile Telecommunications System）、GSM方式の携帯電話網を使ったデータ伝送技術であるＧＰＲＳ（General Packet Radio Service）でもＩＰ（Ｉｎｔｅｒｎｅｔ  Ｐｒｏｔｏｃｏｌ）多重放送をサポートできるようになるであろう。
【０００８】
また、仮にローカルエリアで無線通信の過程を実行しようとすれば、ハンド・オフ（ｈａｎｄ  ｏｆｆ），またはハンド・オーバー（ｈａｎｄ  ｏｖｅｒ）に関連する。ハンド・オーバーの過程において、進行中の無線通信は、無線ネットワークの環境において、一つのパケット領域から他のパケット領域に進入する。通常は、モバイルタイプの装置の地理的な移動に反応する。
【０００９】
ハンド・オーバーの過程においては、２つの要素が関連してくる。即ち、ハンド・オーバー判断（ｈａｎｄｏｖｅｒ  ｄｅｃｉｓｉｔｉｏｎ）と、ハンド・オーバーの実行（ｈａｎｄｏｖｅｒ  ｅｘｅｃｕｔｉｏｎ）である。仮にハンド・オーバー実行の過渡期においてシームレス（ｓｅａｍｌｅｓｓ）に相当する程度まで達成できるのであれば、通信は間断することなく、高い通話の品質を維持することができる。
【００１０】
また、ユーザーはメディア放送装置の放送の状態（例えば、映画、歌曲または曲目、またはテレビ番組を放送する装置の状態）を一時停止、もしくは再開することができる。但し、ユーザーがメディア放送装置の状態と、その関連設定を保存し、その後、異なるメディア包装装置で放送を再開使用とする場合、または、これら保存した内容を異なるメディア放送装置に移転する場合は、ユーザーの少なからぬ時間と労力を費やす。
【非特許文献１】Ｏｈｍ著作の“Ｍｏｂｉｋｅ  Ｃｏｍｍｕｎｉｃａｔｉｏｎ  Ｓｙｓｔｅｍ”
【非特許文献２】Ｄｅｎｋｉ  Ｔｕｓｈｉｎ  Ｋｙｏｋａｉ著作の“Ｅａｓｙ  Ｄｉｇｉｔａｌ  Ｅｘｃｈａｎｇｅ”
【発明の開示】
【発明が解決しようとする課題】
【００１１】
そこで、この発明はネットワークメディアの内容を、シームレスで異なる装置にハンド・オーバーできる装置と、その方法であって、ネットワークにおいて、放送再開、他のメディア放送装置への移転、ネットワーク装置の設定状態の保存などを容易に行うことのできる装置と、その方法を提供することを課題とする。
【課題を解決するための手段】
【００１２】
そこで、本考案者は従来の技術に見られる欠点に鑑み鋭意研究を重ねた結果、
データを供給するデータ供給装置と、複数のハンド・オーバー装置を含み、  該ハンド・オーバー装置がネットワークを介して該データ供給装置に接続し、該データ供給装置の提供するデータを受信し、かつ複数の該ハンド・オーバー装置の内の一つがハンド・オーバーコマンドにしたがい、該ネットワークを介して該データを他のハンド・オーバー装置にハンド・オーバーするメディアハンド・オーバー装置によって課題を解決できる点に着眼し、係る知見に基いて本願発明を完成させた。
【００１３】
以下、この発明について具体的に説明する。
請求項１に記載するネットワークにおけるハンド・オーバー装置は、データを供給するデータ供給装置と、複数のハンド・オーバー装置を含み、
該ハンド・オーバー装置がネットワークを介して該データ供給装置に接続し、該データ供給装置の提供するデータを受信し、かつ複数の該ハンド・オーバー装置の内の一つがハンド・オーバーコマンドにしたがい、該ネットワークを介して該データを他のハンド・オーバー装置にハンド・オーバーする。
【００１４】
請求項２に記載するネットワークにおけるハンド・オーバー装置は、請求項１におけるデータ供給装置が該ハンド・オーバー装置を少なくとも１以上含み、かつストリームサーバーか、ラジオ放送局を含む。
【００１５】
請求項３に記載するネットワークにおけるハンド・オーバー装置は、請求項１におけるオーバーハンド装置が、プロセッサと、
該プロセッサに接続して該データを受信する受信機と、
該プロセッサに接続して該データを送信する送信機と、
該プロセッサに接続するメモリと、
該プロセッサに接続するローカルエリアネットワークモジュールと、
該プロセッサに接続する無線ローカルエリアネットワークモジュールと、
該プロセッサに接続してオーバーハンドを実行するオーバー・ハンドモジュールと、を含む。
【００１６】
請求項４に記載するネットワークにおけるハンド・オーバー方法は、サーチプロトコルにしたがい、インターネットを介してハンド・オーバー装置をサーチし、
該ハンド・オーバー装置を選択して、ハンド・オーバーコマンドの情報の受信と識別を含むハンド・オーバーの過程を実行し、
該ハンド・オーバー操作のモードを質問し、
該ハンド・オーバーの動作を実行するステップを含む。
【００１７】
請求項５に記載するネットワークにおけるハンド・オーバー方法は、請求項４におけるハンド・オーバーの過程を実行が、該オーバー・ハンド装置からデータ供給装置の情報をキャプチャし、
該データ供給装置からストリームを得るように要求し、
該オーバーハンド装置の伝送を中止することによって、中止のの過程を実行して通信の動作を中止するステップを含む。
【発明の効果】
【００１８】
この発明の装置と方法によれば、ユーザーがネットワーク装置間においてメディア放送とネットワーク装置の設定状態を保存し、再開、再生、移転を容易に行うことができる。
【発明を実施するための最良の形態】
【００１９】
この発明は、ネットワークにおいて、またはネットワークを介してメディアのハンド・オーバーを実行する装置と方法を提供するものである。以下に掲げるそれぞれの実施の形態は、本発明の構造と特徴が理解できるように図面を参照し詳述したものである。
【００２０】
また、この分野の技術を知悉したものなら理解できると判断する細部にわたる説明は、この発明の特徴を明確に説明するために省く。但し、以下の記載に基いて本発明を実施できることはいうまでもない。
【００２１】
図１に、ネットワーク１０におけるメディアのハンド・オーバーシステムを開示する。該システムは、隣り合うハンド・オーバー装置１２、１３、１４と、及びデータ供給装置１１とを含む。ネットワーク１０は、例えば無線放送ネットワーク(wireless
broadcast network)、IEEE
802.11 a/b/g、またはIEEE
802.11 nなどの無線ネットワークであってもよく、また、インターネット（ＩＰ）、イーサネット（登録商標）などの有線ネットワークであってもよい。好ましくは、固定受信向けの地上デジタル放送の仕様であるＤＶＢ-Ｔ(terrestrial
Digital Video Broadcast system；DVB-T)システムか、ディジタルオーディオ放送 (Digital Audio
Broadcast system、DABと略称する)システムか、ＧＳＭ方式の携帯電話網を使ったデータ伝送技術であるＣＰＲＳ
(General Packet Radio Service)か、インターネットやイントラネットなどのＴＣＰ／ＩＰネットワークを使って音声データを送受信するＶＯＩＰ
(Voice over Internet Protocol；VOIP) のネットワークか、もしくはこれらネットワークシステムを一つ以上連結したネットワークである。
【００２２】
それぞれのハンド・オーバー装置１２、１３、１４は、いずれもハンド・オーバーモジュールを具え、該ハンド・オーバーモジュールは、ネットワーク１０を介してメディアデータをハンド・オーバーする機能を有する。該メディアデータは、ビデオストリーム
(video streaming)か、データストリーム(data
streaming)か、もしくは異なる周波数（または異なるコード）のブロードバンド多重放送信号
(broadband digital broadcast programming multicast signals)であってもよい。
【００２３】
データ供給装置１１は、メディアの供給元とハンド・オーバー装置に保存する内容を提供する。該メディアの供給元は、アリアネットワーク、またはインターネットのサーバーか、一般の放送かまたは上述するネットワークシステムからのインターネットストリームを提供する。
【００２４】
実施例において、データ供給装置１１はハンド・オーバー装置か、ストリームサーバーか、もしくは基地局であってもよい。ハンド・オーバー装置をデータ供給装置とした場合、オーバー・ハンド装置１２，１３、１４は、インターネット１０を介して、一つのコマンドを例えばハンド・オーバー’装置１２などのメディア提供装置に与えるように要求することができる。また、ハンド・オーバー装置１２、１３、１４のハンド・オーバーモジュールを制御して、例えばビデオストリーム、データストリーム、もしくはブロードバンド多重放送信号などのメディアを互いの間で同時にハンド・オーバーさせることができる。
【００２５】
したがって、ハンド・オーバー装置１２は一つのコマンドのみでメディア放送(media playbackをその他ハンド・オーバー装置１３、１４に容易にハンド・オーバーすることができる。よって、ユーザーはハンド・オーバー装置１２のメディア放送を容易に一時停止し、さらにハンド・オーバー装置１３、１４によって該メディア放送を継続することができる。また、一時停止と再開のコマンドはハンド・オーバー’装置１２、１３、１４において完成させることができる。
【００２６】
実施例において、２つ以上のメディアのハンド・オーバー機能を有するオーバー・ハンド装置１２、１３、または１４は、同一のネットワークにリンクする。それぞれのハンド・オーバー装置は、いずれもハンド・オーバー機能を提供することができる。即ち、放送中の曲目とハンド・オーバー装置のパラメーターを保留し、かつ要求にしたがってこれらパラメータをその他ハンド・オーバー装置に送信することができる。
【００２７】
実施例においては、これらパラメータの操作は、放送中の放送（ＦＭ／ＡＭ）チャンネル、ＵＰＬ(Uniform Resource Locator)、リモート端（例えばメディアサーバー）のファイルストリームのファイルアドレス、ビットシフト量、及び近接端（オーバー・ハンド装置）のファイル放送のファイルルートを含む。即ち、本来の端末におけるファイル放送の状態がハンド・オーバーされた場合、それぞれの装置は随時ストリームサーバーを有することになり、本来の端末のファイルのストリームをその他装置にハンド・オーバーすることができる。
【００２８】
図２Ａから２Ｃに、ラジオ放送のメディアオーバー・ハンドシステムに係るこの発明の好ましい実施例を開示する。図面によれば、該システムは、ハンド・オーバー装置２０、２１、２２とデータ供給装置を含む。この実施例においてはデータ供給装置がラジオ放送局２３であって、ハンド・オーバー装置とデータ供給装置との間の情報を送受信することができる。ハンド・オーバー装置２１，２２はイーサネット（登録商標）を介して放送データをハンド・オーバー装置２０にハンド・オーバーするラジオ放送局２３はオーディオ信号の供給装置である。
【００２９】
図３は、この発明の好まし実施例におけるメディアのハンド・オーバー方法に係るフローチャートである、図２Ａに開示するように、３１のステップにおいてハンド・オーバー装置をサーチする。実施例においてはハンド・オーバー装置２１である。
【００３０】
実施例におけるサーチのステップは、既存する如何なるサーチメカニズム／プロトコルをも用いることができる。例えばUPnP(Universal Plug and Play)プロトコルなどである。
【００３１】
ハンド・オーバー装置はラジオ放送局が送信する放送信号を受信し、ハンド・オーバーモジュールか、またはハンド・オーバープログラム／ソフトウエアを利用してハンド・オーバーサービスを提供する。
【００３２】
図２Ｂに開示するように、３２のステップにおいては、ハンド・オーバー装置２１の次のハンド・オーバー目標を選択し、実施例におけるハンドオーバー装置２０がハンド・オーバーの過程を実行する。同時に、ハンド・オーバー装置２０はハンド・オーバーのコマンドを受信して識別を行う。ハンド・オーバー装置２１は、即刻ハンド・オーバーの動作を開始する。
【００３３】
次いで、３３のステップにおいて、ハンド・オーバー装置２０は、ハンド・オーバー装置２１の操作モードを質問する。ハンド・オーバー装置２０は、同様にハンド・オーバープログラム／ソフトウエアを有するハンド・オーバーモジュールを利用してハンド・オーバーサービスを提供する。
【００３４】
ハンド・オーバー装置に異なる操作モードがある場合は、特定のステップ３４を行い、ハンド・オーバーの過程を実行する、図２Ｃに開示するように、ハンド・オーバー装置２１から放送中のチャネルをキャプチャーし、次いでラジオ放送局２３（ＦＭ/ＡＭ）から送信されるチャネルを調整し、最後にハンド・オーバー装置２１は目下の操作を中止して、ハンド・オーバー装置２１とハンド・オーバー装置２０との間のハンド・オーバーの過程を完成させる。同時にハンドオーバー装置２１は中止信号を受信して通信の動作を中止する。
【００３５】
図４Ａから４Ｃに他の実施形態を開示する。即ち、ディジタル放送を受信する場合のメディアオーバー・ハンドシステムである。図面によれば、該システムは、ハンド・オーバー装置４０、４１、４２とディジタル放送サーバ４３を含む。この実施例においてはオーディオ信号（データ）の供給装置がディジタル放送サーバー４３である。ハンド・オーバー装置４１，４２はインターネットを介してディジタル放送サーバー４３からラジオ放送データストリームをオーバー・ハンド装置４０にオーバー・ハンドする。
【００３６】
図４Ａに開示するように、３１のステップにおいてハンド・オーバー装置をサーチする。実施例においてはハンド・オーバー装置４１である。
【００３７】
実施例におけるサーチのステップは、既存する如何なるサーチメカニズム／プロトコルをも用いることができる。例えばUPnPプロトコルなどである。
【００３８】
ハンド・オーバー装置は、ハンド・オーバーモジュールか、またはハンド・オーバープログラム／ソフトウエアを利用してハンド・オーバーサービスを提供する。
【００３９】
図４Ｂに開示するように、３２のステップにおいては、ハンド・オーバー装置４１の次のハンド・オーバー目標を選択し、実施例においてはハンドオーバー装置４０であって、ハンドオーバー装置４０がハンド・オーバーの過程を実行する。同時に、ハンド・オーバー装置４０はハンド・オーバーのコマンドを受信して識別を行う。ハンド・オーバー装置４１は、即刻ハンド・オーバーの動作を開始する。
【００４０】
次いで、３３のステップにおいて、ハンド・オーバー装置４０は、ハンド・オーバー装置４１の操作モードを質問する。
【００４１】
次いで、同様にハンド・オーバー装置に異なる操作モードがある場合は、特定のステップ３４を行い、ハンド・オーバーの過程を実行する、図４Ｃに開示するように、実施例のオーバー・ハンドの過程において、ハンド・オーバー装置４１からディジタル放送サーバ４３のディジタル放送ＵＲＬをキャプチャーし、次いで該ＵＲＬから送信されるストリームを要求する。最後にハンド・オーバー装置４１は目下の操作を中止して、ハンド・オーバー装置４１からハンド・オーバー装置４０にハンド・オーバーする過程を完成させる。同時にハンドオーバー装置４１は中止信号を受信して通信の動作を中止する。ディジタル放送サーバ４３は、中止信号によって、オーバー・ハンド装置４１に対する送信を中止する。
【００４２】
図５Ａから５Ｃに別の実施形態を開示する。即ち、リモート端のファイルストリームのメディアオーバー・ハンドシステムである。図面によれば、該システムは、ハンド・オーバー装置５０、４１、５２とメディアサーバ５３を含む。この実施例においてはデータの供給装置がメディアサーバー５３である。ハンド・オーバー装置５１，５２はインターネットを介してデータストリームをオーバー・ハンド装置５０にオーバー・ハンドする。
【００４３】
図５Ａに開示するように、３１のステップにおいてハンド・オーバー装置をサーチする。実施例においてはハンド・オーバー装置５１である。
【００４４】
実施例におけるサーチのステップは、既存する如何なるサーチメカニズム／プロトコルをも用いることができる。例えばUPnPプロトコルなどである。
【００４５】
ハンド・オーバー装置は、ハンド・オーバーモジュールか、またはハンド・オーバープログラム／ソフトウエアを利用してハンド・オーバーサービスを提供する。
【００４６】
図５Ｂに開示するように、３２のステップにおいては、ハンド・オーバー装置５１の次のハンド・オーバー目標を選択し、実施例においてはハンドオーバー装置５０であって、ハンドオーバー装置５０がハンド・オーバーの過程を実行する。同時に、ハンド・オーバー装置５０はハンド・オーバーのコマンドを受信して識別を行う。ハンド・オーバー装置５１は、即刻ハンド・オーバーの動作を開始する。
【００４７】
次いで、３３のステップにおいて、ハンド・オーバー装置５０は、ハンド・オーバー装置５１の操作モードを質問する。
【００４８】
次いで、同様にハンド・オーバー装置に異なる操作モードがある場合は、特定のステップ３４を行い、ハンド・オーバーの過程を実行する、図５Ｃに開示するように、実施例のオーバー・ハンドの過程において、ハンド・オーバー装置５１からリモート端ファイルのＵＲＬをキャプチャーし、次いでビットシフトパラメータを有するＵＲＬにリモート端ファイルストリームを要求する。最後にハンド・オーバー装置５１は目下の操作を中止して、ハンド・オーバー装置５１からハンド・オーバー装置５０にハンド・オーバーする過程を完成させる。同時にハンドオーバー装置５１は中止信号を受信して通信の動作を中止する。メディアサーバ５３は、中止信号によって、オーバー・ハンド装置５１に対する送信を中止する。
【００４９】
図６Ａから６Ｃにその他の実施形態を開示する。即ち、近接端のファイルストリームのメディアオーバー・ハンドシステムである。図面によれば、該システムは、ハンド・オーバー装置６０、６１、６２を含む。この実施形態は図５Ａから５Ｃに開示する実施形態と比べた場合、一つのハンド・オーバー装置をメディアサーバー５３の代替としデータ供給装置とする以外は、いずれも類似しているので、ここでは詳述しない。
【００５０】
図７は、この発明の実施例におけるメディアオーバー・ハンド装置７０の機能に係るブロック図である。メディアオーバー・ハンド装置７０は、プロセッサ71と、受信機７２ａ／送信機７２ｂと、チューナ回路(必ずしも必要でない)７３と、メモリ７４と、オペレーションシステム７５と、ローカルローカルエリアネットワークモジュール７６と、無線ローカルローカルエリアネットワークモジュール７７と、及びオーバー・ハンドモジュール７８とを含む。
【００５１】
メモリ７４は、例えば実体リンクルート、関連ＩＰ、チャンネルなどの地理データを保存することができる。
【００５２】
例えば、プロセッサ７１は受信機７２ａ／送信機７２ｂと、チューナ回路７３と、オペレーションシステム７５と、ローカルローカルエリアネットワークモジュール７６と、無線ローカルローカルエリアネットワークモジュール７７と、及びオーバー・ハンドモジュール７８とに接続し、かつプロセッサ７１に保存したオペレーション指示にしたがってオーバー・ハンド装置７０の操作モードをガイドすることができる。
【００５３】
オーバー・ハンド装置７０は受信機７２ａを利用してリモート端のコントローラと無線リンクし、リモート端のコントローラから送信される送信信号を受信する。
【００５４】
チューナ回路７３は、放送される特定のチャンネルを受信するためのものである。よって、受信機７２ａをラジオ放送局のチャネルに調整することができる。具体的に言えば、チューナ回路７２ａは受信機７３をガイドしてラジオ放送局が放送中のチャネルに調整させることができる。
【００５５】
ローカルローカルエリアネットワークモジュール７６と無線ローカルエリアネットワークモジュール７７は、有線、または無線リンクを提供し、例えばオーバー・ハンド装置のＩＰデータ電報などにデータ電報を受信する。
【００５６】
オーバー・ハンドモジュール７８はオーバー・ハンドサービスを提供し、かつソフトウエア、ハードウエア、ユニット、または素子によって操作し、有線、または無線リンク死してムにおけるオーバー・ハンドの実行を促進する。
【００５７】
この分野の技術を知悉するものであれば、容易に理解できることであるが、上述する部材は、２つ以上を組み合わせて単一の部材とすることができる。また、上述する部材の如何なるもの、もしくはこれらの組み合わせは、ハードウエア、ソフトウエア、または両者の結合によって実行することができる。
【００５８】
以上をまとめると、この発明のメディアハンド・オーバー装置、及びその方法によれば、ユーザーがネットワーク装置間においてメディア放送とネットワーク装置の設定状態を保存し、再開、再生、移転を行うことができる。
【００５９】
この発明については、好ましい実施例を挙げ、図２から６を参照にして手術した。但し、特許項の記載の精神と範囲内において、多くの変化を加えることができる。例えば、実施例の操作について言えば、ハンド・オフ、ハンド・オーバーを適用する如何なるの通信環境にも応用することができる。図示するハンド・オーバー実行のためのプロトコルは、ユニット間でリンクして互いに転換する全ての通信システムに応用することができる。
【００６０】
また、この発明において、ハンド・オーバー装置間でどのようにコミュニケーションをとるか、ハンド・オーバーするプロトコルをいかにして効率よく実行するかについて、すでに説明したが、この発明は実施例の記載は、ハンド・オーバーの実行を促進する素子を含むが、これは当業者が本発明を容易に理解できるようにするためのものであって、ハンド・オーバープロトコルを提出する方法と場所を制限するものではない。しかも上述するハンド・オーバープロトコルは、如何なるパーツ、ユニット、ソフトウエア、ハードウエア通信過程に関連する物体、または素子によって提出される。
【００６１】
以上はこの発明の好ましい実施例であって、この発明の実施の範囲を限定するものではない。よって、当業者のなし得る修正、もしくは変更であって、この発明の精神の下においてなされ、この発明に対して均等の効果を有するものは、いずれも本発明の特許請求の範囲に属するものとする。
【図面の簡単な説明】
【００６２】
【図１】この発明のネットワークにおけるメディアネットワークを示した説明図である。
【図２Ａ】実施例におけるネットワークのメディアシステムを示した説明図である。
【図２Ｂ】実施例におけるネットワークのメディアシステムを示した他の説明図である。
【図２Ｃ】実施例におけるネットワークのメディアシステムを示したその他説明図である。
【図３】メディアハンド・オーバーの勝ち得を示したフローチャートである。
【図４Ａ】ディジタル放送のメディアハンド・オーバーシステムを示した説明図である。
【図４Ｂ】ディジタル放送のメディアハンド・オーバーシステムを示した他の説明図である。
【図４Ｃ】ディジタル放送のメディアハンド・オーバーシステムを示したその他説明図である。
【図５Ａ】リモート端ファイルストリームのメディアハンド・オーバーシステムを示した説明図である。
【図５Ｂ】リモート端ファイルストリームのメディアハンド・オーバーシステムを示した他の説明図である。
【図５Ｃ】リモート端ファイルストリームのメディアハンド・オーバーシステムを示したその他の説明図である。
【図６Ａ】近接端のメディアハンド・オーバーシステムを示した説明図である。
【図６Ｂ】近接端のメディアハンド・オーバーシステムを示した他の説明図である。
【図６Ｃ】近接端のメディアハンド・オーバーシステムを示したその他の説明図である。
【図７】実施例におるメディアハンド・オーバー装置の機能を示したブロック図である。
【符号の説明】
【００６３】
１０                    インターネット
１１                    データ供給装置
１２                    オーバーハンド装置
１３                    オーバーハンド装置
１４                    オーバーハンド装置
７１                    プロセッサ
７２ａ                受信機
７２ｂ                送信機
７３                    チューナ回路
７４                    メモリ
７５                    オペレーションシステム
７６                    ローカルエリアネットワークモジュール
７８                    オーバーハンドモジュール
【図１】
2007195170.tif 000003
【図２Ａ】
2007195170.tif 000004
【図２Ｂ】
2007195170.tif 000005
【図２Ｃ】
2007195170.tif 000006
【図３】
2007195170.tif 000007
【図４Ａ】
2007195170.tif 000008
【図４Ｂ】
2007195170.tif 000009
【図４Ｃ】
2007195170.tif 000010
【図５Ａ】
2007195170.tif 000011
【図５Ｂ】
2007195170.tif 000012
【図５Ｃ】
2007195170.tif 000013
【図６Ａ】
2007195170.tif 000014
【図６Ｂ】
2007195170.tif 000015
【図６Ｃ】
2007195170.tif 000016
【図７】
2007195170.tif 000017